(57)【特許請求の範囲】
【請求項１】
電磁弁本体に収容されたソレノイドが、前記電磁弁本体側面に開設された挿通孔を挿通して外方に延出する延出部を有したボビンと、該ボビンに巻かれたコイルとからなり、
該コイルを形成する巻線の一方の端部が前記電磁弁本体に接地される一方、前記巻線の他方の端部が、前記延出部の上面に沿って配設された接続端子の基端部に接続され、当該接続端子の基端部から先端部までが前記延出部の前記上面に露出するとともに、前記延出部に保護キャップが取り付けられる電磁弁において、
前記巻線の他方の端部を、前記延出部の基端側において前記接続端子に接続し、該接続端子と前記巻線との接続部分を前記延出部の基端側に配置する一方、
前記保護キャップを前記電磁弁本体の前記挿通孔に挿入した状態で前記延出部の前記上面を覆うカバー部を当該保護キャップに設けるとともに、前記カバー部の長さ寸法を、前記巻線の他方の端部が接続された前記接続端子の基端部から前記接続端子の先端部まで覆う長さに設定したことを特徴とする電磁弁。
【請求項２】
前記延出部と前記保護キャップとに、前記延出部に前記保護キャップが取り付けられた状態で、該保護キャップの前記延出部の延在方向への移動を阻止する互いに係合可能な係合手段を設けたことを特徴とする請求項１記載の電磁弁。
【発明の詳細な説明】
【０００１】
【発明の属する技術分野】
本発明は、例えば、油圧回路における油圧の制御を行う電磁弁に関する。
【０００２】
【従来の技術】
従来、油圧回路における油圧の制御を行う際には、図１２に示すような電磁弁２０１が用いられている。この電磁弁２０１は、上部に開口部２０２を有したケーシングを形成する電磁弁本体２０３と、該電磁弁本体２０３に収容されたソレノイド２０４と、該ソレノイド２０４の通電に伴い作動するプランジャー２０５とによって構成されている。
【０００３】
前記電磁弁本体２０３は、冷鍛加工されており、図中下方には、流入路２０６を形成する突出部２０７が一体形成されている。該突出部２０７は、オイルが通流する対象物２０８の流通路２０９に挿入された状態で固定されるものであり、その基端部には、切削加工が施され、取付用溝部２１０が形成されている。この取付用溝部２１０は、Ｃリング２１１が嵌着されるように形成されており、前記突出部２０７に固定用ブラケット２１２を装着した後、前記取付用溝部２１０にＣリング２１１を外嵌させることにより、前記電磁弁本体２０３からの固定用ブラケット２１２の離脱を防止するように構成されている。また、前記突出部２０７には、前記電磁弁本体２０３内側に膨出するとともに、前記流入路２０６に連通するシート穴２１３を有したシート２１４が形成されており、該シート２１４には、前記ソレノイド２０４が外嵌した状態で固定されている。
【０００４】
このソレノイド２０４は、前記プランジャー２０５が収容される弁室２２１を形成したボビン２２２と、該ボビン２２２の巻付部２２３に巻かれたコイル２２４とからなり、前記ボビン２２２には、非磁性体からなる筒状のプランジャーガイド２２５が内嵌されている。前記ボビン２２２の上面には、前記コイル２２４を形成する巻線の一方の端部が接続されたアース端子２２６及び、前記巻線の他方の端部が接続された信号端子２２７が露出しており、前記アース端子２２６は、ウエーブワッシャ２２８を介して前記電磁弁本体２０３に接地される一方、前記信号端子２２７は、ボビン２２２の上面に沿って配設された接続配線２２９を介して、電磁弁本体２０３の挿通孔２３０より側方に延出したハーネス接続部２３１における接続端子２３２に接続されている。そして、前記ボビン２２２の上面には、露出した前記アース端子２２６、前記信号端子２２７、及び前記接続配線２２９を覆う絶縁カバー２３３が配設されており、前記ハーネス接続部２３１には、前記接続端子２３２にハーネス２３４がハンダ付けされた後、保護キャプ２３５が取り付けられ、この保護キャップ２３５によって覆われた状態で絶縁が確保されるように構成されている。
【０００５】
また、前記絶縁カバー２３３上には、前記ソレノイド２０４と共に磁気回路を形成する磁性体からなる磁性体プレート２４１が配設されており、該磁性体プレート２４１には、前記プランジャーガイド２２５を包囲する包囲穴２４２が開設されている。該磁性体プレート２４１上には、非磁性体からなる非磁性体プレート２４３が配設されており、該非磁性体プレート２４３には、前記弁室２２１内のオイルを流出させる流出口２４４が開設されている。この流出口２４４は、前記プランジャーガイド２２５の内径寸法より小径に形成されており、その周縁部が、前記プランジャーガイド２２５の上縁に当接するとともに、該プランジャーガイド２２５内のプランジャー２０５の抜け止めとしての作用を奏している。
【０００６】
一方、前記電磁弁本体２０３の上部に設けられた開口部２０２の開口縁には、その全周縁部の内側面が切削加工されてなる薄肉状のカシメ部２５１が形成されており、前記電磁弁本体２０３には、前記磁性体プレート２４１が載置される段差部２５２が形成されている。そして、最上段に設けられた前記非磁性体プレート２４３は、電磁弁本体２０３の前記カシメ部２５１が内側に屈曲され、電磁弁本体２０３に固定されている。
【０００７】
【発明が解決しようとする課題】
しかしながら、前記電磁弁２０１のソレノイド２０４においては、ボビン２２２の巻付部２２３に巻かれたコイル２２４を形成する巻線の両端部は、図１３に示すように、ボビン２２２のハーネス接続部２３１より離れた部位に固定されている。このため、前記巻線の他方の端部が接続された信号端子２２７と、前記ハーネス接続部２３１に設けられた接続端子２３２とを接続するために、前記ボビン２２２の上面に沿って配設される長さ寸法を有した接続配線２２９が必要不可欠であった。
【０００８】
また、前記電磁弁２０１においては、前記信号端子２２７、アース端子２２６、及び前記接続配線２２９の絶縁を確保するために、図１４にも示すように、前記ボビン２２２の上面を覆う絶縁カバー２３３が用いられている。しかしながら、前記アース端子２２６は、ウエーブワッシャ２２８を介してボディー本体２０３に接地されるため、このアース端子２２６を前記絶縁カバー２３３によって覆う必要は無く、該絶縁カバー２３３に不要な部分が生じていた。さらに、ハーネス接続部２３１の接続端子２３２にハーネス２３４がハンダ付けされた際には、このハーネス接続部２３１に、図１５にも示すような保護キャプ２３５を取り付け、前記接続端子２３２を覆うように構成されており、ソレノイド２０４のコイル２２４における前記信号端子２２７の絶縁を確保するために、前記絶縁カバー２３３と前記保護キャップ２３５との二部材が用いられていた。これにより、電磁弁２０１を組み立てる際の組み付け工数の増加要因となるとともに、コストアップの要因となっていた。
【０００９】
本発明は、このような従来の課題に鑑みてなされたものであり、低コストにてソレノイドにおける絶縁を確保することができる電磁弁を提供することを目的とする。
【００１０】
【課題を解決するための手段】
前記課題を解決するために本発明にあっては、電磁弁本体に収容されたソレノイドが、前記電磁弁本体側面に開設された挿通孔を挿通して外方に延出する延出部を有したボビンと、該ボビンに巻かれたコイルとからなり、該コイルを形成する巻線の一方の端部が前記電磁弁本体に接地される一方、前記巻線の他方の端部が、前記延出部の上面に沿って配設された接続端子の基端部に接続され、当該接続端子の基端部から先端部までが前記延出部の前記上面に露出するとともに、前記延出部に保護キャップが取り付けられる電磁弁において、前記巻線の他方の端部を、前記延出部の基端側において前記接続端子に接続し、該接続端子と前記巻線との接続部分を前記延出部の基端側に配置する一方、前記保護キャップを前記電磁弁本体の前記挿通孔に挿入した状態で前記延出部の前記上面を覆うカバー部を当該保護キャップに設けるとともに、前記カバー部の長さ寸法を、前記巻線の他方の端部が接続された前記接続端子の基端部から前記接続端子の先端部まで覆う長さに設定した。
【００１１】
すなわち、ソレノイドのコイルを形成する巻線の他方の端部は、ボビンに形成された延出部の基端側、つまり延出部の延在方向であって、該延出部の上面に配設された接続端子に近接する近接部位に接続されており、前記延出部に取り付けられる保護キャップには、前記突出部の前記上面を覆うとともに、前記巻線の他方の端部が接続された前記接続端子の部位を覆う長さ寸法を有したカバー部が形成されているので、この保護キャップが前記延出部に取り付けられた状態においては、前記巻線の他方の端部及び、該他方の端部が接続された接続端子は、前記保護キャップのカバー部によって覆われる。
【００１２】
また、前記延出部と前記保護キャップとに、前記延出部に前記保護キャップが取り付けられた状態で、該保護キャップの前記延出部の延在方向への移動を阻止する互いに係合可能な係合手段を設けた。
【００１３】
つまり、前記延出部に前記保護キャップが取り付けられた状態においては、前記延出部と前記保護キャップとに設けられた係合手段が互いに係合することにより、前記保護キャップの前記延出部の延在方向への移動が阻止される。これによって、前記巻線の他方の端部及び、該他方の端部が接続された接続端子を覆う前記保護キャップにおける前記カバー部の前記延出部の延在方向への不用意な移動が確実に阻止される。
【００１４】
【発明の実施の形態】
以下、本発明の一実施の形態を図面にしたがって説明する。図１は、本実施の形態にかかる電磁弁１を示すものであり、電磁弁１が固定された状態が示されている。この電磁弁１は、ケーシングを形成する電磁弁本体２と、該電磁弁本体２に収容されたソレノイド３と、該ソレノイド３の通電に伴い作動するプランジャー４とにより構成されている。
【００１５】
前記電磁弁本体２は、プレス成形によって形成されており、前記ソレノイド３を収容する円筒状の大径部５と、該大径部５に連続するとともに、大径部５より小径の円筒状に形成された小径部６とからなる。該小径部６の先端は、電磁弁本体２をプレス成形する際に折り曲げ加工されており、これにより図２にも示すように、側方に屈折されてなるフランジ７が、電磁弁本体２に一体形成されている。前記大径部５から前記フランジ７までの幅寸法Ｈ、つまり前記小径部６の寸法は、図１にも示したように、前記電磁弁本体２を固定する固定用ブラケット８と、該固定用ブラケット８の電磁弁本体２からの抜けを防止する嵌合部材としてのＣリング９とが嵌合可能な寸法に設定されており、前記小径部６を、前記固定用ブラケット８に設けられた嵌合穴１０へ挿通させた後、前記小径部６に前記Ｃリング９を嵌着できるように構成されている。
【００１６】
前記大径部５の側壁にける前記小径部６側には、電磁弁本体２をプレス成形する際に型抜きされてなるドレン穴２１が、図１中右側に設けられており、図３にも示すように、前記大径部５の上部に設けられた開口部２２の開口縁には、等間隔をおいて３カ所に、電磁弁本体２をプレス成形する際に切欠部２３，・・・が形成されている。これらの切欠部２３，・・・によって、前記開口縁には、高壁部２４，・・・と低段部２５，・・・とが交互に形成されている。前記ドレン穴２１の上部に設けられた低段部２５には（図１参照）、さらに下方へ向けて切り欠きが、前記電磁弁本体２をプレス成形する際に設けられており、これによって、大径部５の側壁には、挿通孔２６が、前記ドレン穴２１の上方の部位に形成されている。すなわち、該ドレン穴２１、前記切欠部２３，・・・、及び前記挿通孔２６の総ては、前記電磁弁本体２をプレス成形する際に、同時に形成されている。
【００１７】
前記電磁弁本体２には、図１に示したように、前記開口部２２より挿入された前記ソレノイド３が収容されており、該ソレノイド３は、ボビン本体３１と、該ボビン本体３１に巻かれたコイル３２とにより構成されている。前記ボビン本体３１は、前記大径部５と前記小径部６とを連続する段部３３に載置された状態で、前記大径部５に収容されたボビン３４と、該ボビン３４に一体形成され、前記小径部６を挿通して該小径部６より下方に突出した突出部３５とからなり、前記ボビン３４と前記突出部３５との間には、シート孔３６が開設され、かつ前記ボビン３４より大径の板状部材３７が、インサート成形により一体的に設けられている。これによって、前記ソレノイド３が電磁弁本体２に収容された際には、前記板状部材３７が前記段部３３に載置されるとともに、前記板状部材３７より上方に位置する電磁弁本体２の側壁の部位がカシメられ、内側に膨出した膨出部３８によって、前記板状部材３７が固定されるように構成されている。
【００１８】
前記突出部３５は、電磁弁本体２が固定される対象物４１に設けられたオイルの通流路４２に挿入されるものであり、前記突出部３５の先端部には、前記通流路４２に挿入された状態で、該通流路４２の側壁に密着するＯリング４３が装着されるリング溝４４が一体形成されている。前記突出部３５の中心部には、前記通流路４２のオイルを流入する流入路４５が形成されており、該流入路４５は前記シート孔３６に連通されている。また、前記ボビン３４の中心部には、上下方向に貫通するとともに、前記プランジャー４を摺動自在に収容する弁室４６が形成されており、外側面には、前記コイル３２を保持する巻付部４７が凹設されている。これにより、前記ボビン３４には、前記コイル３２を形成する巻線が巻かれる薄肉部４８と、該薄肉部４８の上下両脇に位置して前記巻線の巻き付け位置を維持する第１及び第２の厚肉部４９，５０とが形成されている。ボビン３４下方に形成された第２の厚肉部５０には、前記弁室４６内に流入したオイルを、前記電磁弁本体２の側壁に設けられたドレン穴２１より流出させる流出孔５１が、前記板状部材３７に沿って形成されている。また、ボビン３４上方に形成された第１の厚肉部４９上には、上方に膨出したリング状膨出部５２と、前記電磁弁本体２の挿通孔２６を貫通して、電磁弁本体２の側方に延出した延出部としてのハーネス接続部５３とが一体形成されており、該ハーネス接続部５３側における前記リング状膨出部５２には、上方に起立した起立壁５４が形成されている。
【００１９】
前記第１の厚肉部４９には、図４にも示すように、前記ハーネス接続部５３の逆側の縁部、及びハーネス接続部５３の基端側に、前記巻付部４７にまかれたコイル３２を形成する巻線の一方の端部６１、及び他方の端部６２が係止される第１及び第２の巻線用切欠部６３，６４が形成されている。第１の巻線用切欠部６３に係止された前記巻線の一方の端部６１は、アース端子６５に接続されており、該アース端子６５より延出するとともに、前記第１の厚肉部４９上面に沿って配設されたリング状の金属板６６及び、該金属板６６上に配設されたウエーブワッシャ６８を介して（図１参照）、前記電磁弁本体２に接地されている。また、第２の巻線用切欠部６４に係止された前記巻線の他方の端部６２は、前記ハーネス接続部５３の延在方向であって、該ハーネス接続部５３に近接した近接部位にて、信号端子６６に接続されており、該信号端子６６より前記ハーネス接続部５３の上面に沿って配設された接続端子６７に接続されている。
【００２０】
この接続端子６７は、図５にも示すように、前記ハーネス接続部５３の両脇に起立するとともに、内側に屈折された端子固定片７１，７１によって固定されており、両端子固定片７１，７１には、側方に突出した係合手段を構成する爪部７２，７２が形成されている。該爪部７２の側面は、電磁弁本体２外側より内側に向かって、幅方向の寸法が大きくなるように形成されており、この側面が傾斜面７３を形成している。そして、これらの爪部７２，７２によって前記ハーネス接続部５３は、保護キャップ７４が取り付け可能に構成されている。
【００２１】
該保護キャップ７４は、前記各端子固定片７１，７１に嵌合する嵌合壁７５，７５（一方のみ図示）と、両嵌合壁７５，７５を端部にて連結する連結壁７６と、該連結壁７６及び前記各嵌合壁７５，７５に連設するとともに、前記ハーネス接続部５３に取り付けられた状態で、ハーネス接続部５３の上面を覆うカバー部７７とにより形成されている。前記両嵌合壁７５，７５には、その下端に、前記ハーネス接続部５３の下面に当接する突起部７８，７８が内側に向けて突設されており、上端部には、前記ハーネス接続部５３に形成された爪部７２，７２に係合する係合手段を構成する係合穴７９，７９が設けられている。また、前記カバー部７７は、図１に示したように、前記ハーネス接続部５３に取り付けられる際に、電磁弁本体２の側壁に設けられた挿通孔２６に挿入される肉厚を有しており、その長さ寸法は、図６にも示すように、前記第２の巻線用切欠部６４、該第２の巻線用切欠部６４に係止された巻線の他方の端部６２、該他方の端部６２が接続された信号端子６６、及び該信号端子６６よりハーネス接続部５３の上面に沿って配設された接続端子６７の総てを覆う寸法に設定されている（図４参照）。そして、前記カバー部７７の先端は、前記ボビン３４のリング状膨出部５２に起立した起立壁５４に当接するような湾曲状に形成されている。
【００２２】
前記ボビン３４の弁室４６に収容される前記プランジャー４は、磁性体からなる円柱部材が削り加工されてなり、図７にも示すように、前記弁室４６内にて作動された際に、前記ボビン３４の第１及び第２の厚肉部４９，５０に摺接する第１及び第２の摺接部８１，８２と、両摺接部８１，８２を連設するとともに、両摺接部８１，８２より小径の非摺接部８３とからなる。つまり、前記円柱部材における前記ボビン３４の薄肉部４８に摺接する外周部位が、内側に後退された形状に形成されている。プランジャー４の下方に設けられた第２の摺接部８２の下端面には、前記ボビン本体３１の板状部材３７に開設されたシート孔３６を開閉する円柱状の弁部８４が一体形成されており、この弁部８４より前記第１の摺接部８１までの長さ寸法は、弁部８４が前記シート孔３６を閉鎖した状態で（図１中の矢示Ａ側参照）、前記第１の摺接部８１の一部が前記ボビン３４より突出するように設定されている。
【００２３】
一方、前記ボビン本体３１上に配設されたウエーブワッシャ６８上には、図１に示したように、非磁性体からなるガイド部材９１が、前記ボビン３４より突出した前記プランジャー４の第１の摺接部８１に嵌合した状態で配設されている。このガイド部材９１は、図８にも示すように、前記第１の摺接部８１に摺動自在に嵌合する筒状のガイド部９２と、該ガイド部９２の下端が外方に屈曲され、前記ウエーブワッシャ６８上に載置されたフランジ部９３と、前記ガイド部９２の上端が内方に屈曲されてなるストッパー部９４とからなり、前記ガイド部材９１の上部には、前記ストッパー部９４に包囲された抜穴９５が形成されている。該抜穴９５は、前記第１の摺接部８１より小径に設定されており、前記ストッパー部９４によって前記プランジャー４の抜けが防止されるとともに、前記抜穴９１によって前記プランジャー４の作動に伴うガイド部９２内の空気の抜け口を形成している。また、前記ガイド部９２は、前記プランジャー４が下動した際にプランジャー４上端が位置する下死点（図１における矢示Ａ側参照）から、上動した際にプランジャー４の上端が位置する上死点（図１における矢示Ｂ側参照）までの範囲包含する高さ寸法を有しており、この高さ寸法は、本実施の形態にかかる電磁弁１において、設計値に基づく前記プランジャー４のストローク量が得られるような寸法に設定されている。
【００２４】
さらに、前記ガイド部材９１における前記フランジ部９３上には、図８にも示したように、前記ソレノイド３と共に磁気回路を構成する磁性体からなる磁性体プレート１０１が配設されている。該磁性体プレート１０１は、前記ソレノイド３の通電に伴い励磁され、前記プランジャー４を上動させるもので、中央部には、前記ガイド部材９１のガイド部９２に嵌合して、該ガイド部９２を包囲する包囲穴１０２が設けられている。また、この磁性体プレート１０１は、図３にも示したように、前記電磁弁本体２の上部に設けられた開口部２２に適合する板状に形成されており、その周縁には、前記開口部２２の開口縁に設けられた各低段部２５，・・・に各々載置されるとともに、図９にも示すように、載置された状態で電磁弁本体２より側方に突出する突出片１０３，・・・が一体形成されている。そして、前記磁性体プレート１０１は、図１０及び図１１にも示すように、前記各底段部２５，・・・の間に設けられた高壁部２４，・・・が内側に屈曲され、この高壁部２４，・・・と、前記突出片１０３，・・・が載置された前記底段部２５，・・・とによって、交互に挾持された状態で、電磁弁本体２に固定されている。
【００２５】
以上の構成からなる本実施の形態において、磁性体プレート１０１を電磁弁本体２に取り付ける際には、磁性体プレート１０１の突出片１０３，・・・を、電磁弁本体２に設けられた開口部２２の低段部２５，・・・に合わせて配設した後、電磁弁本体２の高壁部２４，・・・を内側に屈曲することにより、前記磁性体プレート１０１を、高壁部２４，・・・と、前記各突出片１０３，・・・が載置された各低段部２５，・・・とにより交互に挾持した状態で固定することができるので、従来のように、電磁弁本体の開口縁に、比較的加工時間のかかる切削加工を施し、磁性体プレート１０１が載置される段差部を形成する必要が無い。したがって、電磁弁本体２の成形時間の短縮化を図ることができるとともに、電磁弁本体２を予め厚肉に形成する必要が無く、電磁弁本体２を適切な肉厚で形成することができるので、電磁弁本体２の成形コストの増加を防ぐことができる。さらに、前記高壁部２４，・・・を内側に屈曲して前記磁性体プレート１０１を電磁弁本体２に固定する際には、前記低段部２５，・・・に載置された磁性体プレート１０１の突出片１０３，・・・は、低段部２５，・・・より電磁弁本体２外方へ突出するように形成されているので、前記低段部２５，・・・における前記高壁部２４，・・・近傍の上方への変形を防止することができる。
【００２６】
また、この電磁弁１を対象物４１に固定する際には、電磁弁本体２の小径部６を、固定用ブラケット８の嵌合穴１０に挿入した後、前記小径部６にＣリング９を嵌着することができるので、このＣリング９によって電磁弁本体２からの固定用ブラケット８の離脱を防止することができ、電磁弁１と前記固定用ブラケット８とを一体的に取り扱うことができる。これにより、電磁弁１を対象物４１に固定する際の作業性が向上する。そして、対象物４１に設けられた通流路４２に、電磁弁本体２より延出した突出部３５を挿入するとともに、該突出部３５に外嵌した小径部６のフランジ７が対象物４１に当接するようにセットし、前記固定用ブラケット８を前記対象物４１に固定して、前記電磁弁１を対象物４１に固定する。このとき、電磁弁１からの固定用ブラケット８の抜けが防止されるため、作動時における振動等による電磁弁１の固定用ブラケット８からの不用意な外れを確実に防止することができる。また、電磁弁本体２と該電磁弁本体２より延出した突出部３５とが冷鍛加工により一体形成された従来の電磁弁のように、電磁弁本体２に、固定用ブラケット８を取り付けるための取付用溝部を、比較的加工時間のかかる切削加工により形成する必要が無く、電磁弁本体２と前記フランジ７とを一回のプレス成型により同時に成形することができるので、生産効率が向上するとともに、製造コストを削減することができる。
【００２７】
さらに、前記電磁弁本体２には、前記フランジ７及び前記低段部２５，・・・が、電磁弁本体２をプレス成形する際に、同時に形成されているので、電磁弁本体を冷鍛加工により成形する工程と、電磁弁本体に固定用の取付用溝部、及び磁性プレートが載置される段差部を切削加工する工程との二工程によって形成した従来と比較して、電磁弁本体２の成形工程数を削減することができ、これによるコストダウンも図ることができる。
【００２８】
また、非磁性体からなるガイド部材９１は、そのガイド部９２が磁性体プレート１０１の包囲穴１０２に内嵌された状態で固定され、前記ガイド部９２は、ボビン３４から突出したプランジャー４の第１の摺接部８１を摺動自在にガイドしており、ソレノイド３によって励磁される磁性体プレート１０１の包囲穴１０２における開口縁と、該包囲穴１０２に包囲された前記ソレノイド３との間には、非磁性体からなるガイド部材９１のガイド部９２が介在され、該ガイド部９２の厚み寸法の磁気ギャップが確保されている。そして、前記プランジャー４がガイドされるガイド部９２の上端には、内側に延出するストッパー部９４が設けられているので、前記プランジャー４は、前記ガイド部材９１のストッパー部９４、つまり非磁性体からなるストッパー部９４によってガイド部９２からの抜けが防止されている。このように、非磁性体からなる前記ガイド部材９１のみを用いることにより、前記プランジャー４上端面の前記ストッパー部９４への吸着と、該プランジャー４側面の前記磁性体プレート１０１への吸着を防止しつつ、プランジャー４の抜け防止とプランジャー４の移動方向へのガイドとを同時に行うことができるので、プランジャー４の側面が、ソレノイド３により励磁される磁性体プレート１０１に吸着しないように、プランジャー４を包囲する非磁性体からなるプランジャーガイドと、プランジャー４端面の吸着を防止しつつ、プランジャー４の抜けを防止する非磁性体からなる非磁性体プレートとを用いた従来の電磁弁と比較して、電磁弁１を構成する非磁性体からなる部品の点数を削減することができ、これに伴い組み付け工数も削減することができる。よって、部材費用の低減化、及び組み立てコストの低減化を図ることができる。
【００２９】
さらに、前記ガイド部材のガイド部９２は、プランジャー４の前記ボビン３４から突出した部分のみをガイドする高さ寸法に設定されているので、例えば、従来の電磁弁で用いられていたボビンに内嵌するプランジャーガイドと、磁性体プレート上に配設された非磁性体プレートとを単純に一体形成して、ガイド部材を形成した場合と比較して、ガイド部材９１の材料費を削減することができるとともに、電磁弁１の幅方向における外形寸法を、前記プランジャーガイドの肉厚分小さくすることができる。加えて、前記ガイド部９２の高さ寸法は、本実施の形態にかかる電磁弁１において、設計値に基づく前記プランジャー４のストローク量が得られるような寸法に設定されているが、ストローク量の異なる別仕様の電磁弁を製造する際には、前記ガイド部材９１における前記ガイド部９２の高さ寸法のみを変更することにより、ストローク量の異なる電磁弁を製造することができる。したがって、プランジャーのストローク量の異なる複数種の電磁弁において、前記ガイド部材９１以外の各部材の共有化を図ることができる。さらには、仕様変更などによりプランジャー４のストローク量が変更された場合であっても、この仕様変更に容易に対応することができる。
【００３０】
また、前記ソレノイド３においては、ボビン３４にはコイル３２が巻かれる巻付部が凹設され、ボビン３４には薄肉部４８が形成されており、このボビン３４に収容されたプランジャー４には、前記薄肉部４８に摺接する外周部位が内側に後退されてなる非摺接部８３が形成されているので、前記薄肉部４８が、コイル３２の巻き付け時におけるテンションによって内側へ膨出することがあっても、この薄肉部４８がプランジャー４の側壁に圧接することはない。したがって、ボビン３４に内嵌されていた従来のプランジャーガイドの使用を廃止することができ、これにより、電磁弁１を構成する部品点数を減少させることができる。よって、前記ボビンへの前記プランジャーガイドの組み付け作業が不要となり、組み立て工数の削減によるコストダウンを図ることができる。そして、前記非摺接部８３が形成されていない場合と比較して、プランジャー４の質量を小さくすることができるので、電磁弁１の軽量化を図ることができ、プランジャー４の軽量化に伴うプランジャー４の追従性を高めることができるとともに、電磁弁１の動作特性が向上する。さらに、前記プランジャー４には、前記ボビン３４の第１及び第２の厚肉部４９，５０に摺接されて支持される第１及び第２の摺接部８１，８２が形成されており、さらには、前記ボビン３４より突出した部位が、前記ガイド部材９１に支持されるので、作動時における振動や外部からの振動等による前記プランジャー４の横揺れを、確実に防止することができる。したがって、振動による制御性の悪化を防止することができる。
【００３１】
一方、前記ソレノイド３のボビン３４においては、前記コイル３２を形成する巻線の他方の端部６２が、ボビン３４に形成されたハーネス接続部５３の基端部に形成された第２の巻線用切欠部６４に係止されており、前記巻線の他方の端部６２は、前記ハーネス接続部５３の延在方向であって、該ハーネス接続部５３に近接した近接部位にて、信号端子６６に接続され、該信号端子６６より前記ハーネス接続部５３の上面に沿って配設された接続端子６７に接続されている。そして、前記ハーネス接続部５３に取り付けられる保護キャップ７４には、ハーネス接続部５３の上面を覆うとともに、ボビン３４の内縁部に起立する起立壁５４に達する長さ寸法を有したカバー部７７が形成されているので、この保護キャップ７４が、ハーネス接続部５３に取り付けられた状態においては、前記第２の巻線用切欠部６４、前記信号端子６６、及び前記接続端子６７の総てが、前記カバー部７７によって覆われる。したがって、前記巻線の他方の端部６２が前記接続端子６７から離れ部位に固定され、前記他方の端部６２と、該他方の端部６２及び前記接続端子６７を接続する接続配線とを絶縁する絶縁カバーを用いた場合と比較して、前記保護キャップ７４の他に別部材を用いることなく、前記コイル３２の絶縁を確保することができる。このため、他部材を用いた場合と比較して、電磁弁１を構成する部品点数を削減することができるとともに、電磁弁１の組み付け工数を削減することができ、製造コストの低減化を図ることができる。さらに、前記巻線の他方の端部６２は、前記ハーネス接続部５３に配設された接続端子６７に近接する近接部位にて固定されているので、前記巻線の他方の端部６７が前記接続端子６７から離れ部位に固定された場合と比較して、前記保護キャップ７４のカバー部７７を適切な長さ寸法にすることができ、前記保護キャップ７４を成形する成形材の使用量をも削減することができる。
【００３２】
また、前記ハーネス接続部５３には、側方に突出した爪部７２，７２が形成されており、前記保護キャップ７４は、前記爪部７２，７２に係合する係合穴７９，７９を有しているので、前記保護キャップ７４を取り付けた状態においては、該保護キャップ７４の前記ハーネス接続部５３の延在方向への移動を阻止することができる。このため、前記巻線の他方の端部６２及び、該他方の端部６２が接続された信号端子６６を覆う前記カバー部７７の前記延在方向への不用意なずれを確実に防止することができる。よって、保護キャップ７４の不用意なずれに起因する前記電磁弁本体２内部、つまり外部から見ることのできない部分における前記コイル３２と磁性プレート１０１とのショートを確実に防止することができる。
【００３３】
【発明の効果】
以上説明したように、本発明の電磁弁にあっては、ソレノイドのコイルを形成する巻線の他方の端部は、ボビンに形成された延出部の基端側、つまり延出部の延在方向であって、該延出部の上面に配設された接続端子に近接する近接部位にて接続端子に接続されており、前記延出部に取り付けられる保護キャップには、前記突出部の前記上面を覆うとともに、前記巻線の他方の端部が接続された前記接続端子の部位を覆う長さ寸法を有したカバー部が形成されているので、この保護キャップが前記延出部に取り付けられた状態において、前記保護キャップのカバー部によって、前記巻線の他方の端部と、該他方の端部が接続された接続端子との両者を覆うことができる。したがって、前記巻線の他方の端部が前記接続端子から離れ部位に固定され、前記他方の端部と、該他方の端部及び前記接続端子を接続する接続配線とを絶縁する絶縁カバーが用いられた従来の電磁弁のように、保護キャップの他に別部材を用いることなく、前記巻線の他方の端部と前記接続端子との両者の絶縁を確保することができる。このため、電磁弁を構成する部品点数が削減され、これに伴い電磁弁を組み立てる際の組み付け工数を削減することができるので、製造コストの低減化を図ることができる。
【００３４】
さらに、前記巻線の他方の端部は、前記延出部の基端側、つまり前記延出部に配設された接続端子に近接する近接部位にて、前記接続端子に固定されるので、前記巻線の他方の端部が、前記接続端子から離れ部位に固定された場合と比較して、前記保護キャップのカバー部を適切な長さ寸法に設定することができ、前記保護キャップを成形する成形材の使用量をも削減することができる。
【００３５】
また、前記延出部と前記保護キャップとに、前記延出部に前記保護キャップが取り付けられた状態で、該保護キャップの前記延出部の延在方向への移動を阻止する互いに係合可能な係合手段を設けたものに関しては、前記延出部に前記保護キャップを取り付けられた状態において、前記延出部と前記保護キャップとに設けられた係合手段が互いに係合することにより、前記保護キャップの前記延出部の延在方向への移動が阻止されるので、前記巻線の他方の端部及び、該他方の端部が接続された接続端子を覆う前記カバー部の前記延出部の延在方向への不用意なずれを確実に防止することができる。したがって、保護キャップの不用意なずれに起因する前記電磁弁本体内における前記コイルのショートを確実に防止することができる。
【００３６】
【図面の簡単な説明】
【図１】本発明の実施の形態を示す断面図である。
【図２】図１のＣ部拡大図である。
【図３】同実施の形態の上部を示す分解斜視図である。
【図４】同実施の形態における電磁弁本体にソレノイドを収容した状態を示す平面図である。
【図５】同実施の形態におけるソレノイドのハーネス接続部に保護キャップを取り付ける以前の状態を示す斜視図である。
【図６】同実施の形態におけるソレノイドのハーネス接続部に保護キャップを取り付けた状態を示す平面図である。
【図７】同実施の形態におけるプランジャーを示す図である。
【図８】図１のＤ部拡大図である。
【図９】同実施の形態を示す平面図である。
【図１０】図９のＥ−Ｅ断面図である。
【図１１】図９のＦ−Ｆ断面図である。
【図１２】従来の電磁弁を示す断面図である。
【図１３】同従来例における電磁弁本体にソレノイドを収容した状態を示す平面図である。
【図１４】同従来例の絶縁カバーを示す斜視図である。
【図１５】同従来例の保護キャップを示す斜視図である。
【符号の説明】
１    電磁弁
２    電磁弁本体
３    ソレノイド
４    プランジャー
２６    挿通孔
３２    コイル
３４    ボビン
５３    ハーネス接続部（延出部）
６１    一方の端部
６２    他方の端部
６７    接続端子
７２    爪部（係合手段）
７４    保護キャップ
７７    カバー部
７９    係合穴（係合手段）
【図１】
0003863220.tif 000002
【図２】
0003863220.tif 000003
【図３】
0003863220.tif 000004
【図４】
0003863220.tif 000005
【図５】
0003863220.tif 000006
【図６】
0003863220.tif 000007
【図７】
0003863220.tif 000008
【図８】
0003863220.tif 000009
【図９】
0003863220.tif 000010
【図１０】
0003863220.tif 000011
【図１１】
0003863220.tif 000012
【図１２】
0003863220.tif 000013
【図１３】
0003863220.tif 000014
【図１４】
0003863220.tif 000015
【図１５】
0003863220.tif 000016